(57)【要約】【課題】  発光領域と非発光領域との組合せにより所定のパターンを良好な画質の下に表示するものを得易い発光表示パネルを提供する。【解決手段】  可撓性を有する透明基材１上に、発光領域及び非発光領域の両方に亘るようにして透明電極３を形成し、この透明電極のうちの非発光領域に対応する領域上に少なくとも１つの補助電極５ａ、５ｂを形成すると共に、透明電極のうちの非発光領域に対応する領域上に補助電極を覆うようにして電気絶縁層７ａ、７ｃ、７ｄを形成し、さらに、少なくとも透明電極のうちの発光領域に対応する領域上に有機発光部９を形成し、この有機発光部上に背面電極１１を形成することによって、上記課題を解決した。【選択図】      図２
2006107996.tif 000002
【特許請求の範囲】
【請求項１】
発光領域と非発光領域との組合せにより所定のパターンを表示する発光表示パネルであって、
可撓性を有する透明基材と、前記発光領域及び前記非発光領域の両方に亘って前記透明基材上に形成された透明電極と、該透明電極のうちの前記非発光領域に対応する領域上に形成された少なくとも１つの補助電極と、前記透明電極のうちの前記非発光領域に対応する領域上に形成された電気絶縁層と、少なくとも前記透明電極のうちの前記発光領域に対応する領域上に形成された有機発光部と、該有機発光部上に形成された背面電極とを有すると共に、前記補助電極が前記電気絶縁層によって覆われていることを特徴とする発光表示パネル。
【請求項２】
前記透明基材と前記透明電極との間にガスバリアー層が介在していることを特徴とする請求項１に記載の発光表示パネル。
【請求項３】
前記背面電極の露出面及び前記有機発光部の露出面を覆う封止層を有することを特徴とする請求項１又は２に記載の発光表示パネル。
【発明の詳細な説明】
【技術分野】
【０００１】
本発明は、発光領域と非発光領域との組合せにより文字、図形、記号、模様、又は静止画を表示する発光表示パネルに関し、更に詳しくは、電飾パネル等として利用することができる発光表示パネルに関する。
【背景技術】
【０００２】
発光素子の１つとして知られる有機エレクトロルミネッセンス素子（以下、「有機ＥＬ素子」と略記する。）は、今日、可撓性の高いフラットパネルディスプレイの画素として、あるいはペーパーライクな面光源として、その実用化が進められている。また、例えば特許文献１に記載されているように、大面積の有機ＥＬ素子内に所定のパターンで非発光領域を形成し、この有機ＥＬ素子に通電したときに生じる発光領域と非発光領域との組合せによって、広告や宣伝のための文字、図形、記号等を表示するペーパーライクな発光表示パネルも開発されている。
【０００３】
有機ＥＬ素子は、透明電極、有機発光部、及び背面電極がこの順番で基材上に順次積層された構成を基本的な層構成とする発光素子であり、透明電極及び背面電極のうちでエレクトロルミネセンス光を取り出そうとする側の電極は、透明電極材料によって形成される。
【０００４】
ペーパーライクな有機ＥＬ素子を得るにあたっては、通常、上記の基材として透明樹脂フィルムが用いられる。しかしながら、透明電極の導電性は比較的低く、特に大面積の有機ＥＬ素子では透明電極への印加電圧が高くなり易い。そして、透明電極に高電圧を印可すると、通電に伴う発熱によって有機発光部が劣化したり、基材である透明樹脂フィルムが変形したり、透明樹脂フィルムが燃え出したりすることがある。
【０００５】
このような不具合を防止するために、例えば特許文献２に記載された発光素子では、透明電極上に複数の金属バスライン電極を所定の間隔で設けることによって発光時の発熱等を抑えている。
【特許文献１】特開２００４−１１１１５８号公報（特許請求の範囲、第０００６〜０００８段、図４、及び図５参照。）
【特許文献２】特開２００３−１３３０８０号公報（特許請求の範囲及び図２参照。）
【発明の開示】
【発明が解決しようとする課題】
【０００６】
特許文献２に記載されている発光素子のように、透明電極上に複数の金属バスライン電極を設けることは、有機ＥＬ素子の発光時の発熱を抑えるうえで有用である。しかしながら、金属バスライン電極の光反射率は比較的高い。
【０００７】
このため、例えば特許文献２に記載されている発光素子におけるように、発光領域内にも金属バスライン電極を設けると、当該金属バスライン電極で反射した外光が視認され易くなる。金属バスライン電極による外光の反射は、例えば特許文献１に記載されている発光表示パネルのように広告や宣伝等のための文字、図形、記号等を表示する発光表示パネルにおいては画質の低下、ひいては訴求効果の低下につながるため、できるだけ抑制することが望まれる。
【０００８】
勿論、金属バスライン電極の線幅を狭くすれば、当該金属バスライン電極で反射した外光が視認されるのを抑制することが可能になるが、金属バスライン電極の線幅を狭くすればするほど当該金属バスライン電極の電気抵抗が高くなるので、有機ＥＬ素子の発光時の発熱を抑え難くなる。
【０００９】
本発明は上記の事情に鑑みてなされたものであり、その目的は、発光領域と非発光領域との組合せにより所定のパターンを良好な画質の下に表示するものを得易い発光表示パネルを提供することにある。
【課題を解決するための手段】
【００１０】
上記の目的を達成する本発明の発光表示パネルは、発光領域と非発光領域との組合せにより所定のパターンを表示する発光表示パネルであって、可撓性を有する透明基材と、前記発光領域及び前記非発光領域の両方に亘って前記透明基材上に形成された透明電極と、該透明電極のうちの前記非発光領域に対応する領域上に形成された少なくとも１つの補助電極と、前記透明電極のうちの前記非発光領域に対応する領域上に形成された電気絶縁層と、少なくとも前記透明電極のうちの前記発光領域に対応する領域上に形成された有機発光部と、該有機発光部上に形成された背面電極とを有すると共に、前記補助電極が前記電気絶縁層によって覆われていることを特徴とする（以下、この発光表示パネルを「発光表示パネルＩ」ということがある。）。
【００１１】
ここで、本発明でいう「発光領域と非発光領域との組合せにより所定のパターンを表示する」とは、宣伝、電飾、装飾等のための文字、図形、記号、模様、静止画等を、目視可能な大きさを有する１又は複数の発光領域と、当該発光領域に隣接する１又は複数の非発光領域（大きさは、目視可能な大きさであっても目視不能な大きさであってもよい。）との組合せにより表示することを意味する。
【００１２】
本発明の発光表示パネルＩでは、透明電極、有機発光部、及び背面電極によって有機ＥＬ素子を構成することができ、かつ、透明基材が可撓性を有しているので、有機ＥＬ素子を利用した可撓性の高い表示パネルを得ることが容易である。また、透明電極上に少なくとも１つの補助電極が形成されているので、透明電極の材料よりも導電性の高い金属又は合金によって所望形状の補助電極を形成することにより、当該補助電極と透明電極とを併せた電極全体の導電性を高めることができ、結果として、有機ＥＬ素子の発光時の発熱を抑えることができる。そして、発光領域内には補助電極が分布していないので、補助電極での外光の反射に起因する画質の低下を容易に抑制することができる。
【００１３】
したがって、発光表示パネルＩによれば、発光領域と非発光領域との組合せにより所定のパターンを良好な画質の下に表示するものを得ることが容易になる。
【００１４】
本発明の発光表示パネルＩにおいては、（１）前記透明基材と前記透明電極との間にガスバリアー層が介在している（以下、この発光表示パネルを「発光表示パネルII」ということがある。）こと、が好ましい。
【００１５】
この発光表示パネルIIによれば、酸素や水分が透明基材を透過して有機発光部に侵入することが抑制されるので、有機発光部の劣化が抑制され、結果として、寿命の長いものを得易くなる。
【００１６】
本発明の発光表示パネルＩ及び発光表示パネルIIのいずれにおいても、（２）前記背面電極の露出面及び前記有機発光部の露出面を覆う封止層を有する（以下、この発光表示パネルを「発光表示パネルIII」 ということがある。）こと、が好ましい。
【００１７】
この発光表示パネルIII によれば、酸素や水分が背面電極を透過して有機発光部に侵入すること、及び、酸素や水分が有機発光部の側面から当該有機発光部に侵入することが抑制されるので、有機発光部の劣化が抑制され、結果として、寿命の長いものを得易くなる。
【発明の効果】
【００１８】
以上説明したように、本発明によれば、発光領域と非発光領域との組合せにより文字、図形、記号、模様、静止画等のパターンを良好な画質の下に表示する発光表示パネルを得易くなるので、訴求効果が高い宣伝用発光表示パネル、訴求効果が高い電飾用発光表示パネル、高品位の装飾用発光表示パネル等、種々の用途の発光表示パネルを提供し易くなる。
【発明を実施するための最良の形態】
【００１９】
以下、本発明の発光表示パネルの形態を、図面を適宜参照して詳述する。
【００２０】
＜第１形態＞
図１は、本発明の発光表示パネルの一例を示す概略図であり、表示面を正面視したときの概略図である。本発明の発光表示パネルは、前述のように、発光領域と非発光領域との組合せにより所定のパターン（文字、図形、記号、模様、静止画等）を表示するものであり、図１に示した発光表示パネル２０では、８つの表示領域Ｒ１ 〜Ｒ８ と６つの非発光領域ＮＲ１ 〜ＮＲ６ との組合せによって、「ＡＢＣ」という文字列と、「あいう」という文字列とが上下２段に分かれて表示される。
【００２１】
なお、図１においては、発光領域Ｒ１ 〜Ｒ８ と非発光領域ＮＲ１ 〜ＮＲ６ とを区別し易くするために、各非発光領域ＮＲ１ 〜ＮＲ６ にスマッジングを付してある。また、同図中の参照符号５ａ、５ｂは、それぞれ、後述する補助電極を示している。
【００２２】
図２は、本発明の発光表示パネルの基本的な断面構造の一例を示す概略図であり、図１に示した発光表示パネル２０でのII−II線断面の概略図に相当する。同図に示すように、発光表示パネル２０は、可撓性を有する透明基材１と、透明基材１上に形成された１つの透明電極３と、透明電極３上に形成された２つの補助電極５ａ、５ｂ及び６つの電気絶縁層７ａ〜７ｆ（ただし、図２においては３つの電気絶縁層７ａ、７ｃ、７ｄのみが現れている。）と、各電気絶縁層７ａ〜７ｆ上及び当該電気絶縁層７ａ〜７ｆによって覆われずに露出している透明電極３上に形成された１つの有機発光部９と、有機発光部９上に形成された１つの背面電極１１とを有している。
【００２３】
上記の透明基材１としては、透明樹脂フィルムや透明ガラスシートを用いることができる。透明樹脂フィルムとしては、フッ素系樹脂、ポリエチレン、ポリプロピレン、ポリ塩化ビニル、ポリフッ化ビニル、ポリスチレン、ＡＢＳ樹脂、ポリアミド、ポリアセタール、ポリエステル、ポリカーボネート、変性ポリフェニレンエーテル、ポリスルホン、ポリアリレート、ポリエーテルイミド、、ポリアミドイミド、ポリイミド、ポリフェニレンスルフィド、液晶性ポリエステル、ポリエチレンテレフタレート、ポリブチレンテレフタレート、ポリエチレンナフタレート、ポリオキシメチレン、ポリエーテルサルホン、ポリエーテルエーテルケトン、ポリアクリレート、アクリロニトリル−スチレン樹脂、フェノール樹脂、尿素樹脂、メラミン樹脂、不飽和ポリエステル樹脂、エポキシ樹脂、ポリウレタン、シリコーン樹脂、非晶質ポリオレフィン等からなるものが好ましい。透明樹脂フィルムの膜厚が５０μｍ程度未満では、発光表示パネル２０の製造過程で変形が生じ易くなる。透明樹脂フィルムの膜厚の上限値は、得ようとする発光表示パネルの用途や、当該発光表示パネルに求められる可撓性等に応じて、適宜選定可能である。
【００２４】
上記の透明樹脂フィルムは、耐溶媒性、耐熱性、耐光性、及びガスバリアー性（水蒸気及び酸素に対するバリアー性を意味する。以下同じ。）に優れているものほど好ましいが、透明樹脂フィルムのガスバリアー性は、後述するガスバリアー層（第２形態の欄参照）を別途設けることによって改善可能である。
【００２５】
一方、透明基材１として透明ガラスシートを用いる場合、この透明ガラスシートは、厚さが１００μｍ程度以下のもであることが好ましい。また、必要に応じて、透明ガラスシートを機械的に保護する保護プラスチック層を別途設けることができる。この保護プラスチック層としては、ガスバリアー層としても機能するものが好ましい。
【００２６】
透明電極３は、有機ＥＬ素子の陽極として利用されるものであり、発光領域Ｒ１ 〜Ｒ８ 及び非発光領域ＮＲ１ 〜ＮＲ６ （図１参照）の両方に亘るようにして透明基材１上に形成されている。この透明電極３の材料としては、酸化インジウム錫（ＩＴＯ）、酸化インジウム、及び酸化インジウム亜鉛（ＩＺＯ）等の無機透明導電性酸化物や、ポリアニリン等の有機導電性材料を用いることができ、中でもＩＴＯ又はＩＺＯが好ましく用いられる。透明電極３の膜厚は、０．００５〜０．５μｍ程度の範囲内で適宜選定可能である。
【００２７】
透明電極３の形成に伴って生じる透明基材１での残留応力をできるだけ小さくして当該透明基材１の変形を防止するという観点から、透明電極３は真空蒸着法、イオンプレーティング法、又は印刷法によって形成することが好ましい。印刷法によって透明電極３を形成する場合には、導電性インキ又は導電性ペーストをスクリーン印刷、フレキソ印刷、オフセット印刷等の方法によって所定形状に塗工して塗膜を形成した後、この塗膜を熱処理して透明電極３とする。
【００２８】
補助電極５ａ、５ｂは、透明電極３と共同して導電性の高い電極を形成するものである。発光表示パネル２０では、文字列「ＡＢＣ」（図１参照）を正面視上取り囲む矩形枠状の補助電極５ａと、文字列「あいう」（図１参照）を正面視上取り囲む矩形枠状の補助電極５ｂとが透明電極３上に形成されている。
【００２９】
各補助電極５ａ、５ｂは、透明電極３の材料よりも導電性が高い合金材料又は金属材料、例えば銀（Ａｇ）、金（Ａｕ）、アルミニウム（Ａｌ）、銅（Ｃｕ）等からなる。これら補助電極５ａ、５ｂの膜厚及び線幅は、当該補助電極５ａ、５ｂと透明電極３とを併せた体積抵抗率が１×１０−６〜１×１０−４Ω・ｃｍ程度の範囲内となるように、透明電極３の電気的特性、透明電極３の大きさ、及び当該補助電極５ａ、５ｂの材料に応じて適宜選定される。ただし、膜厚を選定するにあたっては、後述する電気絶縁層７ａによって補助電極５ａ、５ｂそれぞれの全体が覆われることになるように、電気絶縁膜７ａの膜厚も考慮される。
【００３０】
このような補助電極５ａ、５ｂは、補助電極５ａ、５ｂの形成に伴う透明基材１での残留応力をできるだけ小さくして当該透明基材１の変形を防止するという観点から、所定形状の蒸着用マスクを用いた真空蒸着法、所定形状の蒸着用マスクを用いたイオンプレーティング法、又は印刷法によって形成することが好ましい。印刷法によって補助電極５ａ、５ｂを形成する場合には、導電性インキ又は導電性ペーストをスクリーン印刷、フレキソ印刷、オフセット印刷等の方法によって所定形状に塗工して塗膜を形成した後、これらの塗膜を熱処理して補助電極５ａ、５ｂとする。
【００３１】
電気絶縁層７ａ〜７ｆは、有機発光部９が発光領域Ｒ１ 〜Ｒ８ （図１参照）においてのみ発光するように、透明電極３と背面電極１１とを局所的に絶縁するものであり、各補助電極５ａ、５ｂを覆った状態で、透明電極３のうちの非発光領域ＮＲ１ 〜ＮＲ６ に対応する領域上に形成されている。電気絶縁層７ａが非発光領域ＮＲ１ に対応し、電気絶縁層７ｂ（図示せず。）が非発光領域ＮＲ２ に対応し、電気絶縁層７ｃが非発光領域ＮＲ３ に対応する。また、電気絶縁層７ｄが非発光領域ＮＲ４ に対応し、電気絶縁層７ｅ（図示せず。）が非発光領域ＮＲ５ に対応し、電気絶縁層７ｆ（図示せず。）が非発光領域ＮＲ６ に対応する。
【００３２】
このような電気絶縁層７ａ〜７ｆは、例えば、光硬化型樹脂組成物（紫外線硬化型樹脂組成物を含む。）や電子線硬化型樹脂組成物等を塗工して塗膜を形成し、この塗膜をフォトリソグラフィー法や電子線リソグラフィー法で所定形状にパターニングすることによって得られる。電気絶縁層７ａ〜７ｆの膜厚は、透明電極３と背面電極１１とを局所的に絶縁し、かつ、補助電極５ａ、５ｂと背面電極１１とを絶縁することができるように、電気絶縁層７ａ〜７ｆの材料や発光表示パネル２０の駆動電圧等に応じて、０．５〜７．０μｍ程度の範囲内で適宜選定される。
【００３３】
なお、製造過程で発光表示パネル２０に変形が生じることを抑制するうえからは、透明基材１及び電気絶縁層７ａ〜７ｆそれぞれの熱膨張係数をできるだけ近似させることが好ましい。
【００３４】
有機発光部９は、透明電極３及び背面電極１１と共に有機ＥＬ素子を構成するものであり、少なくとも、透明電極３のうちの発光領域Ｒ１ 〜Ｒ８ （図１参照）に対応する領域上に形成されている。発光表示パネル２０では、電気絶縁層７ａ〜７ｆの表面上及び当該電気絶縁層７ａ〜７ｆによって覆われずに露出している透明電極３上に、有機発光部９が形成されている。
【００３５】
この有機発光部９は、例えば、（１）有機発光材料のみからなる単層構造、（２）正孔輸送材料からなる正孔輸送層と有機発光材料からなる有機発光材料層とがこの順番で透明電極３側から積層された２層構造、（３）有機発光材料からなる有機発光材料層と電子輸送材料からなる電子輸送層とがこの順番で透明電極３側から積層された２層構造、又は、（４）正孔輸送層と、有機発光材料層と、電子輸送層とがこの順番で透明電極３側から積層された３層構造とすることができる。
【００３６】
また、（５）正孔輸送層と、電子輸送層の性質を兼ね備えた有機発光材料層とがこの順番で透明電極３側から積層された２層構造、（６）正孔輸送層の性質を兼ね備えた有機発光材料層と、電気輸送層とがこの順番で透明電極３側から積層された２層構造、又は、（７）有機発光材料層の性質と、正孔輸送層の性質及び電子輸送層の性質の少なくとも一方とを兼ね備えた有機混合物層のみからなる単層構造、とすることもできる。
【００３７】
上記の有機発光材料層、正孔輸送層、電子輸送層、及び有機混合物層は、それぞれ、有機ＥＬ素子用の材料として知られる種々の有機発光材料、正孔輸送材料、又は電子輸送材料を用いて形成することができる。これらの層の形成は、例えば、真空蒸着法や湿式法等によって行うことができる。湿式法では、有機発光材料、正孔輸送材料、又は電子輸送材料を含有したコーティング組成物をインクジェット法、スピンコート法、印刷法、ディスペンサを用いて滴下するディスペンサ法等の方法によって塗工して塗膜を形成し、この塗膜を真空熱処理等の方法で加熱して硬化ないし固化させることにより、有機発光材料層、正孔輸送層、電子輸送層、又は有機混合物層を形成する。
【００３８】
発光表示パネル２０によって複数色のカラー表示を行おうとする場合には、発光色が互いに異なる複数種の有機発光材料を用意し、発光色が互いに異なる複数の有機発光材料層又は有機発光部をそれぞれ所望箇所に形成する。このとき、異なる有機発光材料層又は有機発光部同士の間には、樹脂材料を用いて透明電極３上に予め隔壁を設けておくことが好ましい。隔壁は、例えば厚膜印刷、フォトリソグラフィー、電子線リソグラフィー等の方法によって形成することができる。
【００３９】
発光表示パネル２０によってモノカラー表示及び複数色のカラー表示のいずれを行う場合でも、発光領域Ｒ１ 〜Ｒ８ での有機発光部９の膜厚は、透明電極３と背面電極１１との短絡を防止しつつ輝度の高い有機ＥＬ素子を形成するという観点から、０．１〜２．５μｍ程度の範囲内で適宜選定することが好ましい。
【００４０】
背面電極１１は、有機発光部９上に形成されて有機ＥＬ素子の陰極として利用されるものである。有機ＥＬ素子の陰極として好適な背面電極を得るうえからは、アルカリ金属、アルカリ土類金属、アルカリ金属を成分として含有する合金、及びアルカリ土類金属を成分として含有する合金等のように仕事関数が小さい金属もしくは合金を用いて背面電極１１を形成することが好ましい。このとき、背面電極１１は単層構造とすることもできるが、アルカリ金属やその合金、及びアルカリ土類金属やその合金は化学的活性が高いので、図２に示すように、アルカリ金属もしくはその合金、又はアルカリ土類金属もしくはその合金からなる第１背面電極１１ａを、化学的活性が低い銀（Ａｇ）、金（Ａｕ）、アルミニウム（Ａｌ）等の導電性材料からなる第２背面電極１１ｂで保護した積層構造とすることが好ましい。
【００４１】
透明電極材料を用いて第２背面電極１１ｂを形成した場合には、透明基材１側及び背面電極１１側のいずれからも発光領域Ｒ１ 〜Ｒ８ での発光を視認することが可能になる。換言すれば、透明基材１側及び背面電極１１側のいずれからも、発光表示パネル２０によって表示される文字列「ＡＢＣ」及び「あいう」、もしくはこれらの文字列の鏡像を視認することが可能になる。
【００４２】
背面電極１１を単層構造及び積層構造のいずれにする場合でも、当該背面電極１１は、発光領域Ｒ１ 〜Ｒ８ に対応する領域にのみ形成することもできるし、発光領域Ｒ１ 〜Ｒ８ と非発光領域ＮＲ１ 〜ＮＲ６ の両方に亘って形成することもでき、その膜厚は、０．００５〜１μｍ程度の範囲内で適宜選定可能である。背面電極１１を積層構造とする場合、第１背面電極１１ａ及び第２背面電極１１ｂそれぞれの膜厚は、０．００５〜０．５μｍ程度の範囲内で適宜選定することが好ましい。背面電極１１は、例えば真空蒸着法によって形成することができる。
【００４３】
以上説明した構造を有する発光表示パネル２０では、透明電極３、有機発光部９、及び背面電極１１によって有機ＥＬ素子が構成されており、かつ、透明基材１が可撓性を有しているので、有機ＥＬ素子を利用した可撓性の高い表示パネルを得ることが容易である。また、発光表示パネル２０では、透明電極３上に補助電極５ａ、５ｂが形成されているので、当該補助電極５ａ、５ｂと透明電極３とを併せた電極全体の導電性を高めることができ、結果として、有機ＥＬ素子の発光時の発熱を抑えることができる。そして、表示しようとする文字「Ａ」、「Ｂ」、「Ｃ」、「あ」、「い」、及び「う」の内側（発光領域Ｒ１ 〜Ｒ８ 内）には補助電極５ａ、５ｂが分布していないので、補助電極５ａ、５ｂでの外光の反射に起因する画質の低下を容易に抑制することができる。
【００４４】
したがって、発光表示パネル２０では、発光領域Ｒ１ 〜Ｒ８ と非発光領域ＮＲ１ 〜ＮＲ６ との組合せにより、上記の各文字を良好な画質の下に表示することが容易である。
【００４５】
発光領域及び非発光領域の組合せを適宜変更して所望の文字、図形、記号、模様、静止画等のパターンが表示されるように構成することにより、訴求効果が高い宣伝用発光表示パネルや、訴求効果が高い電飾用発光表示パネル、あるいは高品位の装飾用発光表示パネル等、種々の用途の発光表示パネルを得ることができる。
【００４６】
＜第２形態＞
有機ＥＬ素子に使用される有機発光材料は酸素や水分によってその特性が劣化するので、有機ＥＬ素子には、通常、有機発光部への酸素や水分の侵入を防ぐための封止処理が施される。本発明の発光表示パネルにおいても、上記の封止処理を施すことが好ましい。
【００４７】
図３は、封止処理が施された本発明の発光表示パネルの一例を概略的に示す断面図である。同図に示す発光表示パネル３０は、図１及び図２に示した発光表示パネル２０における透明基材１上にガスバリアー層２２を設け、さらに、背面電極１１上に封止層２５を設けた構造を有している。ガスバリアー層２２及び封止層２５を共に除いた残りの構成は発光表示パネル２０の構成と同じであるので、図３に示した構成部材のうちで図２に示した構成部材と共通するものについては、図２で用いた参照符号と同じ参照符号を付してその説明を省略する。ただし、透明基材１として透明樹脂フィルを用いる場合、可撓性の高い発光表示パネル３０を容易に得るという観点からは、その膜厚を５０〜２００μｍ程度の範囲内で適宜選定することが好ましい。
【００４８】
上記のガスバリアー層２２は、酸素や水分が透明基材１を透過して有機発光部９に侵入するのを防止するための層である。このガスバリアー層２２は、透明基材１の外表面上に設けることもできるが、図示のように、透明基材１の内表面上に設ける方が好ましい。
【００４９】
ガスバリアー層２２の材料としては、酸化ケイ素、酸化アルミニウム、酸化チタン、酸化イットリウム、酸化ゲルマニウム、酸化亜鉛、酸化マグネシウム、酸化カルシウム、酸化ホウ素、酸化ストロンチウム、酸化バリウム、酸化鉛、酸化ジルコニウム、酸化ナトリウム、酸化リチウム、及び酸化カリウム等の無機酸化物や、窒化ケイ素等の無機窒化物、あるいは酸窒化ケイ素等の酸窒化物を用いることができる。ガスバリアー層２２の膜厚は、有機発光部９への酸素や水分の侵入を防止し、かつ、発光表示パネル３０の可撓性を良好にするという観点から、０．０１〜０．５μｍ程度の範囲内で適宜選定することが好ましい。このようなガスバリアー層２２は、例えば真空蒸着法により形成することができる。
【００５０】
一方、上記の封止層２５は、酸素や水分が背面電極１１を透過して有機発光部９に侵入するのを防止するための層であると共に、酸素や水分が有機発光部９の側面から当該有機発光部９に侵入するのを防止するための層であり、背面電極１１の露出面及び有機発光部９の露出面を覆っている。
【００５１】
この封止層２５は、例えば無溶剤型の樹脂組成物を硬化させてなる比較的厚肉の単層構造とすることもできるが、有機発光部９への酸素や水分の侵入を防止するという観点からは、図示のように、可撓性を有する基材２５ａ上にガスバリアー層２５ｂが設けられ、このガスバリアー層２５ｂ上に接合剤層２５ｃが設けられた積層構造とした方が好ましい。
【００５２】
上記の基材２５ａは、透明であっても透明でなくてもよいが、透明基材１と同程度ないしそれ以上の可撓性を有していることが好ましい。このような基材２５ａの材料としては、例えば、透明基材１の材料として例示した透明樹脂フィルムと同じものを用いることができる。また、その膜厚は５０〜３００μｍ程度の範囲内で適宜選定することが好ましい。
【００５３】
基材２５ａ上に設けられているガスバリアー層２５ｂは、上述したガスバリアー層２２と同様の材料によって当該ガスバリアー層２２と同様にして形成することができる。そして、ガスバリアー層２２上に設けられている接合剤層２５ｃは、封止層２５をガスバリアー層２２の内縁部上、電気絶縁層７ａ及び有機発光部９それぞれの露出面上、並びに背面電極１１の外表面上に接合するための層であり、例えばエポキシ樹脂系の熱硬化型樹脂組成物、アクリル樹脂系の紫外線硬化型樹脂組成物等によって形成される。
【００５４】
接合剤層２５ｃを無溶剤タイプの熱硬化型樹脂組成物によって形成する場合、この接合剤層２５ｃは、ガスバリアー層２５ｂの上面全体に形成することもできるし、所望箇所にのみ局所的に形成することもできる。また、接合剤層２５ｃを上記の紫外線硬化型樹脂組成物によって形成する場合、この接合剤層２５ｃは、背面電極１１及び有機発光部９と接触しないように、ガスバリアー層２５ｂの表面（上面）の内縁部に形成することが好ましい。接合剤層２５ｃの厚さは、その材料の種類に拘わらず、１〜２００μｍ程度の範囲内で適宜選定可能である。
【００５５】
なお、製造過程で発光表示パネル３０に変形が生じるのを抑制するうえからは、透明基材１、電気絶縁層７ａ〜７ｆ、及び基材２５ａそれぞれの熱膨張係数をできるだけ近似させることが好ましい。また、発光表示パネル３０の総膜厚は、当該発光表示パネル３０の用途や、求められる可撓性等に応じて、１ｍｍ以下程度の範囲内で適宜選択可能である。
【００５６】
このような構造を有する発光表示パネル３０では、有機発光部９への酸素や水分の侵入をガスバリアー層２２及び封止層２５によって防止することができるので、図１及び図２に示した発光表示パネル２０よりも長寿命のものを容易に得ることができる。
【００５７】
＜変形例＞
本発明の発光表示パネルを構成する補助電極の平面視上の形状は、図１に示した補助電極５ａ、５ｂのような矩形枠状に限定されるものではなく、表示しようとする文字、図形、記号、模様、静止画等のパターンの形状や、当該パターンを構成するパーツの配置等に応じて、矩形枠状以外の種々の閉じた形状、直線状、曲線状、面状等とすることができる。
【００５８】
図４は、直線状の補助電極を複数有する発光表示パネルの一例を示す概略図であり、表示面を正面視したときの概略図である。同図に示す発光表示パネル４０は、図１に示した発光表示パネル２０と同様に、「ＡＢＣ」という文字列と「あいう」という文字列とを上下２段に分けて表示する。発光表示パネル４０における発光領域及び非発光領域の分布は、図１に示した発光表示パネル２０での発光領域及び非発光領域の分布と同じであるので、これらの領域には図１で用いた参照符号と同じ参照符号を付してある。また、非発光領域にはスマッジングを付してある。
【００５９】
図示の発光表示パネル４０では、正面視上、文字列「ＡＢＣ」の上下に分かれて２本の補助電極５ａ１ 、５ａ２ が配置され、これらの補助電極５ａ１ 、５ａ２ の間に、発光領域Ｒ１ 〜Ｒ３ と重ならないようにして８本の補助電極５ａ３ 〜５ａ１０が配置されている。また、正面視上、文字列「あいう」の上下に分かれて２本の補助電極５ｂ１ 、５ｂ２ が配置され、これらの補助電極５ｂ１ 、５ｂ２ の間に、発光領域Ｒ４ 〜Ｒ８ と重ならないようにして８本の補助電極５ｂ３ 〜５ｂ１０が配置されている。
【００６０】
このようにして補助電極５ａ１ 〜５ａ１０及び補助電極５ｂ１ 〜５ｂ１０を設けることによっても、図１に示した発光表示パネル２０と同様の技術的効果を奏する発光表示パネル４０を得ることができる。なお、補助電極５ａ３ 〜５ａ１０及び補助電極５ｂ３ 〜５ｂ１０は、表示しようとする文字「Ａ」、「Ｂ」、「Ｃ」、「Ｄ」、「あ」、「い」、「う」が小さいときには、省略することも可能である。同様に、文字列「ＡＢＣ」と文字列「あいう」の間隔が狭いときには、補助電極５ａ２ 及び補助電極５ｂ１ のいずれか一方又は両方を省略することも可能である。
【００６１】
図１に示した発光表示パネル２０や、図４に示した発光表示パネル４０は、いずれも、表示しようとする文字が光るものであるが、本発明の発光表示パネルは、発光領域と非発光領域との組合せにより文字、図形、記号、模様、静止画等のパターンを表示するものであればよく、表示しようとする文字、図形、記号、模様、静止画等は光らずにその周囲が光るように構成することもできる。
【００６２】
図５は、表示しようとする文字は光らずにその周囲が光る発光表示パネルの一例を示す概略図であり、表示面を正面視したときの概略図である。同図に示す発光表示パネル５０は、図１に示した発光表示パネル２０と同様に、「ＡＢＣ」という文字列と「あいう」という文字列とを上下２段に分けて表示する。
【００６３】
この発光表示パネル５０では、文字列「ＡＢＣ」は３つの非発光領域ＮＲ１１〜ＮＲ１３によって構成され、文字列「あいう」は５つの非発光領域ＮＲ１４〜ＮＲ１８によって構成されている。各非発光領域ＮＲ１１〜ＮＲ１３の周囲には発光領域Ｒ１０が形成されており、各非発光領域ＮＲ１４〜ＮＲ１８の周囲には発光領域Ｒ１１が形成されている。そして、各発光領域Ｒ１０、Ｒ１１の周囲には、非発光領域ＮＲ１０が形成されている。このような発光表示パネル５０は、電気絶縁層の全体形状を非発光領域ＮＲ１０〜１８に対応した形状とする以外は、図１に示した発光表示パネル２０又は図３に示した発光表示パネル３０と同様にして作製することができる。
【００６４】
なお、図５においては、発光領域Ｒ１０、Ｒ１１と非発光領域ＮＲ１０〜ＮＲ１８とを区別し易くするために、非発光領域ＮＲ１０〜ＮＲ１８にスマッジングを付してある。また、図５中の参照符号「５ａ」、「５ｂ」は、それぞれ、補助電極を示している。
【００６５】
以上、本発明の発光表示パネルについて説明したが、本発明の発光表示パネルは上述した構造の発光表示パネルに限定されるものではなく、これらの発光表示パネルに種々の変形、修飾、組合せ等を施すことが可能である。
【実施例】
【００６６】
＜実施例１＞
まず、膜厚１００μｍのポリエーテルサルホンフィルムの片面に膜厚０．１μｍのＩＴＯ膜が形成された積層樹脂フィルムを用意した。この積層樹脂フィルムにおけるポリエーテルサルホンフィルムが本発明でいう「可撓性を有する透明基材」に相当し、ＩＴＯ膜が「透明電極」に相当する。
【００６７】
次に、所定形状の蒸着用マスクを用いた真空蒸着法により、上記の透明電極上に銀（Ａｇ）を蒸着させて、図１に示した発光表示パネル２０における補助電極５ａ、５ｂと同様の形状及び配置の補助電極（計２つ）を形成した。いずれの補助電極も、厚さは０．２μｍであり、線幅は１ｍｍである。
【００６８】
次いで、補助電極が形成された透明電極上にフォトレジストをスピンコートして塗膜を形成し、この塗膜をプレベークした後に所定形状の露光マスクを用いて選択的に露光し、ポストベークを行ってから現像処理を施して、所定パターンの電気絶縁膜を形成した。透明電極上での当該電気絶縁膜の膜厚は２μｍであり、この電気絶縁膜は各補助電極を覆っている。
【００６９】
次に、正孔輸送層形成用のコーティング組成物としてバイエル社製のバイトロンＰ（商品名）を用意し、このコーティング組成物をスピンコート法によって上記の電気絶縁膜及び透明電極上に塗工して塗膜を形成した。そして、この塗膜を１５０℃の熱処理により硬化させて、膜厚０．０８μｍ（ただし、透明電極上での膜厚を意味する。）の正孔輸送層を形成した。
【００７０】
また、有機発光層形成用のコーティング組成物として、ポリビニルカルバゾール７０重量部と、オキシジアゾール３０重量部と、シアノメチレンフィラン誘導体１重量部と、モノクロロベンゼン４９００重量部との混合物を用意し、このコーティング組成物をスピンコート法によって上記の正孔輸送層上に塗工して塗膜を形成した。そして、この塗膜を１５０℃の熱処理により硬化させて、膜厚０．０７μｍの有機発光層を形成した。これにより、正孔輸送層と有機発光層とからなる２層構造の有機発光部が得られた。
【００７１】
この有機発光部上に金属カルシウム（Ｃａ）を真空蒸着法により堆積させて膜厚０．００８μｍのカルシウム層を成膜し、引き続き、このカルシウム層上に銀（Ａｇ）を真空蒸着法により堆積させて膜厚０．５μｍの銀層を成膜して、カルシウム層からなる第１背面電極と銀層からなる第２背面電極とを有する２層構造の背面電極を形成した。
【００７２】
この後、透明電極の露出面、電気絶縁層の外側側面、有機発光部の側面、及び背面電極の外表面を覆うようにして封止層を積層して、ガスバリアー層２２（図３参照）がない以外は図３に示した発光表示パネル３０と同様の構造を有する発光表示パネルを得た。この発光表示パネルは、「ＡＢＣ」という文字列と、「あいう」という文字列とを各文字が光った状態で上下２段に分けて表示することできる。
【００７３】
なお、上記の封止層は、膜厚３００μｍのポリエーテルサルホンフィルムからなる基材の片面全体に膜厚０．１μｍの酸窒化ケイ素製ガスバリアー層が形成され、その表面の内縁部上にアクリル樹脂系の紫外線硬化型樹脂組成物からなる膜厚１５０μｍの接合剤層が形成されたものであり、窒素ガス雰囲気中で接合剤層が内側となる向きで積層した後、接合剤層に所定波長の紫外線を照射して、当該接合剤層を硬化させると共にその下地に接着させたものである。
【００７４】
＜比較例１＞
補助電極を形成しなかった以外は実施例１と同じ条件の下に、発光表示パネルを作製した。
【００７５】
＜評価＞
実施例１及び比較例１でそれぞれ作製した発光表示パネルについて、透明電極を陰極とし、背面電極を陽極として５Ｖの直流電圧を印加したときの発光効率を比較したところ、実施例１で作製した発光表示パネルの発光効率は、比較例１で作製した発光表示パネルの発光効率よりも１．５倍から３倍程度高かった。
【００７６】
また、実施例１で作製した発光表示パネルにより文字列「ＡＢＣ」、及び文字列「あいう」を表示したときの画質を目視により評価したところ、外光の反射に起因する視認性の低下は実質的になく、その画質は良好であった。
【図面の簡単な説明】
【００７７】
【図１】本発明の発光表示パネルの一例を示す概略図であり、表示面を正面視したときの概略図である。
【図２】本発明の発光表示パネルの基本的な断面構造の一例を示す概略図であり、図１に示したII−II線断面の概略図に相当する。
【図３】封止処理が施された本発明の発光表示パネルの一例を概略的に示す断面図である。
【図４】直線状の補助電極を複数有する本発明の発光表示パネルの一例を示す概略図であり、表示面を正面視したときの概略図である。
【図５】表示しようとする文字は光らずにその周囲が光る本発明の発光表示パネルの一例を示す概略図であり、表示面を正面視したときの概略図である。
【符号の説明】
【００７８】
１  可撓性を有する透明基材
３  透明電極
５ａ、５ａ１ 〜５ａ１０、５ｂ、５ｂ１ 〜５ｂ１０  補助電極
７ａ〜７ｆ  電気絶縁層
９  有機発光部
１１  背面電極
１１ａ  第１背面電極
１１ｂ  第２背面電極
２０、３０、４０、５０  発光表示パネル
２２  ガスバリアー層
２５  封止層
２５ａ  可撓性を有する基材
２５ｂ  ガスバリアー層
２５ｃ  接合材層
Ｒ１ 〜Ｒ８ 、Ｒ１０、Ｒ１１  発光領域
ＮＲ１ 〜ＮＲ６ 、ＮＲ１０〜ＮＲ１８  非発光領域
【図１】
2006107996.tif 000003
【図２】
2006107996.tif 000004
【図３】
2006107996.tif 000005
【図４】
2006107996.tif 000006
【図５】
2006107996.tif 000007